【手続補正書】
【提出日】令和2年8月24日(2020.8.24)
【手続補正１】
【補正対象書類名】特許請求の範囲
【補正対象項目名】全文
【補正方法】変更
【補正の内容】
【特許請求の範囲】
【請求項１】
クロスヘッドピストンコンプレッサのピストンロッド（２）用のオイルワイパパッキン（１）であって、
−  チャンバディスク凹部（３ａ）と、穴（３ｆ）を含む仕切り壁（３ｃ）とを有するチャンバディスク（３）であって、前記仕切り壁（３ｃ）が、前記チャンバディスク凹部（３ａ）の範囲を横方向に限定し、前記穴（３ｆ）が前記ピストンロッド（２）を通過させるために設けられる、チャンバディスク（３）と、
−  前記チャンバディスク凹部（３ａ）に配置されるワイパリング（４）と、を含み、
それぞれがチャンバディスク凹部（３ａ、５ａ）および単一の仕切り壁（３ｃ、５ｃ）を有する少なくとも２つのチャンバディスク（３、５）が、長手方向（Ｌ）に連続的に配置される、オイルワイパパッキン（１）において、
単一のワイパリング（４）が、各チャンバディスク凹部（３ａ、５ａ）に配置されることと、長手方向（Ｌ）に配置された前記２つのチャンバディスク（３、５）が同じ向きで配置されることとを特徴とする、オイルワイパパッキン（１）。
【請求項２】
前記チャンバディスク凹部（３ａ、５ａ）が、長手方向（Ｌ）にチャンバ内部高さ（Ｋ１）を有することと、前記ワイパリング（４）が、長手方向（Ｌ）にワイパリング高さ（Ｈ１）を有することと、周囲温度において、前記チャンバ内部高さ（Ｋ１）が、前記ワイパリング高さ（Ｈ１）よりも０ｍｍ〜０．５ｍｍ大きいこととを特徴とする、請求項１に記載のオイルワイパパッキン。
【請求項３】
各ワイパリング（４）が、周囲温度において、前記それぞれのチャンバディスク（３、５）内で長手方向（Ｌ）に０ｍｍ〜０．５ｍｍの範囲の遊びを有することを特徴とする、請求項１または２に記載のオイルワイパパッキン。
【請求項４】
前記チャンバディスク（３）および前記ワイパリング（４）が熱膨張係数を有することと、前記ワイパリング（４）が、前記チャンバディスク（３）よりも大きい熱膨張係数を有することと、前記ワイパリングが、周囲温度において、前記チャンバディスク凹部（３ａ、５ａ）内で長手方向（Ｌ）に遊びを有することと、周囲温度よりも高い動作温度（Ｔｂ）において、前記ワイパリング（４）が、前記チャンバディスク凹部（３ａ、５ａ）内で遊びが小さくなる、または密着結合することとを特徴とする、請求項１〜３のいずれか一項に記載のオイルワイパパッキン。
【請求項５】
すべてのワイパリング（４）が、周囲温度において同じ遊びを有することを特徴とする、請求項２〜４のいずれか一項に記載のオイルワイパパッキン。
【請求項６】
長手方向（Ｌ）に互いに続く、ワイパリング（４）およびチャンバディスク（３、５）の少なくとも２つの連続対である前記ワイパリング（４）が、異なる遊びを有することを特徴とする、請求項２〜４のいずれか一項に記載のオイルワイパパッキン。
【請求項７】
ワイパリング（４）およびチャンバディスク（３、５）の長手方向（Ｌ）における連続対である前記ワイパリング（４）が、遊びが次第に大きくなることを特徴とする、請求項６に記載のオイルワイパパッキン。
【請求項８】
前記オイルワイパパッキン（１）が、クロスヘッドピストンコンプレッサに取り付けられるように全体が構築されることと、前記チャンバディスク（３、５）が、長手方向（Ｌ）に連続的に配置され、互いに連結されることと、単一のワイパリング（４）が各チャンバディスク凹部（３ａ、５ａ）に配置されることと、各ワイパリング（４）が、前記チャンバディスク（３）内で長手方向（Ｌ）において０ｍｍ〜０．５ｍｍの範囲の遊びを有することとを特徴とする、請求項２〜７のいずれか一項に記載のオイルワイパパッキン。
【請求項９】
前記チャンバディスク（３、５）の各々が、長手方向（Ｌ）に対して直交する方向に向けられた横出口開口（３ｅ、５ｅ）を有し、それにより、前記チャンバディスク凹部（３ａ、５ａ）が外部からアクセス可能であり、前記出口開口（３ｅ、５ｅ）が、前記チャンバディスク凹部（３ａ、５ａ）内のワイパリング（４）の遊びを測定できるように配置されることを特徴とする、請求項８に記載のオイルワイパパッキン。
【請求項１０】
前記チャンバディスク（３、５）の各々よりも外径が大きい固定プレート（１２）を含むことと、前記チャンバディスク（３、５）が、前記固定プレート（１２）に続いて長手方向（Ｌ）に配置されることとを特徴とする、請求項８または９に記載のオイルワイパパッキン。
【請求項１１】
内部空間（７ａ）を有するチャンバディスク（７）が、前記固定プレート（１２）に続いて長手方向（Ｌ）に配置されることと、気密封止装置（８、９）が、前記内部空間（７ａ）に配置されることとを特徴とする、請求項１０に記載のオイルワイパパッキン。
【請求項１２】
前ワイパチャンバ（１０ａ）を含む前ワイパチャンバディスク（１０）が前記チャンバディスク（３）に続いて長手方向（Ｌ）に配置されることと、前ワイパ（１１）が、前記前ワイパチャンバ（１０ａ）に配置されることとを特徴とする、請求項１０または１１に記載のオイルワイパパッキン。
【請求項１３】
封止中間バリア（１６）が、前記固定プレート（１２）に続いて長手方向（Ｌ）に配置され、かつ、バリア内部空間（１６ｂ）を有するバリアチャンバディスク（１６ａ）を含み、２つの封止要素（１６ｃ）が、前記バリア内部空間（１６ｂ）内で、相互に離間して長手方向（Ｌ）に配置され、長手方向（Ｌ）に気密バリアを形成するために、流体用の供給管（１８）が、２つ封止要素（１６ｃ）間の前記バリア内部空間（１６ｂ）に通じていることを特徴とする、請求項１０〜１２のいずれか一項に記載のオイルワイパパッキン。
【請求項１４】
各ワイパリング（４）が、半径方向に延在しかつ半径方向に前記ワイパリング（４）の全幅にわたって広がる２つの排出チャネル（４ｃ）を有することを特徴とする、請求項８〜１３のいずれか一項に記載のオイルワイパパッキン。
【請求項１５】
長手方向（Ｌ）に延びるピストンロッド（２）を含むクロスヘッドピストンコンプレッサにオイルワイパパッキン（１）を取り付ける方法であって、
−  第１の方法ステップで、前記オイルワイパパッキン（１）は、チャンバディスク凹部（３ａ）と穴（３ｆ）を含む仕切り壁（３ｃ）とを有するチャンバディスク（３）において、単一のワイパリング（４）が前記チャンバディスク凹部（３ａ）に配置され、前記チャンバディスク凹部（３ａ）が前記仕切り壁（３ｃ）によって横方向に範囲が限定されるように、事前構築される、方法において、
−  それぞれ内部にワイパリング（４）が配置された少なくとも２つのチャンバディスク（３）が、長手方向（Ｌ）において同じ向きで連続的に配置されかつ互いに連結されることと、
−  第２の方法ステップで、前記事前構築されたオイルワイパパッキン（１）が、長手方向（Ｌ）に移動することで、前記ピストンロッド（２）上に配置され、それにより、前記ピストンロッド（２）が、前記仕切り壁（３ｃ）のそれぞれの穴（３ｆ）を貫通し、前記チャンバディスク（３）および前記ワイパリング（４）が前記ピストンロッド（２）を囲むこととを特徴とする、方法。
【請求項１６】
前記チャンバディスク凹部（３ａ）の各々が、長手方向（Ｌ）にチャンバ内部高さ（Ｋ１）を有することと、前記ワイパリング（４）の各々が、長手方向（Ｌ）にワイパリング高さ（Ｈ１）を有することと、各ワイパリング（４）および各チャンバディスク凹部（３ａ）が、周囲温度において、前記チャンバ内部高さ（Ｋ１）が、前記ワイパリング高さ（Ｈ１）よりも０ｍｍ〜０．５ｍｍ大きいように組み合わされることとを特徴とする、請求項１５に記載の方法。
【請求項１７】
前記ワイパリング（４）が、前記チャンバディスク凹部（３ａ）内で長手方向（Ｌ）に０ｍｍ〜０．５ｍｍの範囲の遊びを有することを特徴とする、請求項１６に記載の方法。
【請求項１８】
前記ワイパリング（４）が、前記チャンバディスク（３）よりも大きい熱膨張係数を有することと、前記ワイパリングが、周囲温度において、前記チャンバディスク凹部（３ａ、５ａ）内で長手方向（Ｌ）に遊びを有することと、周囲温度よりも高い動作温度（Ｔｂ）において、前記ワイパリング（４）が、前記チャンバディスク凹部（３ａ、５ａ）内で遊びが小さくなる、または密着結合することとを特徴とする、請求項１５〜１７のいずれか一項に記載の方法。
【請求項１９】
前記チャンバディスク（３）が、長手方向（Ｌ）に対して直交する方向に向けられた少なくとも１つの横出口開口（３ｅ）を有し、それにより、前記チャンバディスク凹部（３ａ）が、外部からアクセス可能であることと、前記チャンバディスク凹部（３ａ）内のワイパリング（４）の遊びが、前記出口開口（３ａ）から測定されることとを特徴とする、請求項１５〜１８のいずれか一項に記載の方法。
【手続補正２】
【補正対象書類名】明細書
【補正対象項目名】発明の名称
【補正方法】変更
【補正の内容】
【発明の名称】オイルワイパパッキンおよびオイルワイパパッキンを取り付ける方法